(57)【要約】【課題】ＤＣＤＣコンバーターの出力電圧の大きさを定めるための参照電圧を調整し、少なくとも２つのＤＣＤＣコンバーターの実際の出力電圧値の差を低減する。【解決手段】電源装置は、第１参照電圧生成部と、出力電圧設定用の第１設定回路と、第１参照電圧と第１設定回路の出力の電位差に応じて電圧を出力する第１出力生成部を含む主電力変換部と、第２参照電圧生成部と、出力電圧設定用の第２設定回路と、第２参照電圧と第２設定回路からの出力の電位差に応じて電圧を出力する第２出力生成部を含む副電力変換部と、主電力変換部と副電力変換部の出力電圧が等しくなるように調整する調整制御部を含み、副電力変換部は、第２参照電圧を可変させる調整部を含み、調整制御部は、第１参照電圧と第２参照電圧の差を認識し、各参照電圧の差が無くなるように調整部に調整させる。【選択図】図６
2015126662.tif 000002
【特許請求の範囲】
【請求項１】
第１参照電圧生成部と、出力電圧を設定するための第１設定回路と、前記第１参照電圧生成部が生成した第１参照電圧と前記第１設定回路からの出力の電位差に応じて電圧を生成、出力する第１出力生成部を含むＤＣＤＣコンバーターを備えた主電力変換部と、
第２参照電圧を生成する第２参照電圧生成部と、出力電圧を設定するための回路であって前記第１設定回路と同じ仕様の第２設定回路と、前記第２参照電圧と前記第２設定回路からの出力の電位差に応じて電圧を生成、出力し、前記第１出力生成部と同じ仕様の第２出力生成部を含むＤＣＤＣコンバーターを備えた副電力変換部と、
前記主電力変換部と前記副電力変換部の出力電圧が等しくなるように調整するための調整制御部を含み、
また、前記副電力変換部は、前記第２参照電圧を可変させて調整するための調整部を含み、
前記調整制御部は、前記第１参照電圧と前記第２参照電圧の差を認識し、各参照電圧の差が無くなるように前記調整部に前記第２参照電圧を調整させることを特徴とする電源装置。
【請求項２】
前記副電力変換部は、前記副電力変換部の駆動開始後、前記第２出力生成部の出力電圧値が予め定められた大きさに到達したことを検知する検知回路を含み、
前記調整制御部は、前記検知回路によって、前記第２出力生成部の出力電圧値が予め定められた大きさに到達したことが検知される前は、前記第２参照電圧の調整を前記調整部に行わせず、検知されてから前記第２参照電圧の調整を前記調整部に行わせることを特徴とする請求項１記載の電源装置。
【請求項３】
通常モードで予め定められた移行条件が満たされたとき移行する省電力モードと、前記省電力モードで予め定められた復帰条件が満たされたときに復帰する通常モードを有し、
前記省電力モードでは、前記副電力変換部は、前記第２出力生成部からの電圧の出力を停止し、前記調整制御部及び前記調整部は調整を行わず、
前記通常モードでは、前記副電力変換部は、前記第２出力生成部からの電圧の出力を行い、前記調整制御部及び前記調整部は調整を行い、
前記主電力変換部は、前記通常モードと前記省電力モードの両方で、前記第１出力生成部からの電圧の出力を続けることを特徴とする請求項１又は２に記載の電源装置。
【請求項４】
前記主電力変換部と前記副電力変換部の負荷は、複数のコアを持つＣＰＵであり、
前記主電力変換部は、前記ＣＰＵに含まれるコアのうち、前記省電力モードでも駆動させるコアに電力を供給し、
前記副電力変換部は、前記ＣＰＵに含まれるコアのうち、前記省電力モードでは駆動させないコアに対して電力を供給することを特徴とする請求項３に記載の電源装置。
【請求項５】
前記第１参照電圧と、前記第２参照電圧の入力を受けて差を増幅する誤差アンプを含み、
前記調整制御部は、前記誤差アンプの出力に基づいて、前記第１参照電圧と前記第２参照電圧の差を認識し、差がなくなるように前記調整部に指示を与えることを特徴とする請求項１乃至４の何れか１項に記載の電源装置。
【請求項６】
請求項１乃至５の何れか１項に記載の電源装置を含むことを特徴とする画像形成装置。
【発明の詳細な説明】
【技術分野】
【０００１】
本発明は、複数のＤＣＤＣコンバーターを含む電源装置に関する。また、この電源装置を含む画像形成装置に関する。
【背景技術】
【０００２】
装置内のデバイスの駆動に必要な電圧を生成するため、ＤＣＤＣコンバーターのような電力変換回路を、装置内に設けることがある。そして、ＤＣＤＣコンバーターは、出力電圧の平滑化等のため、コイル、コンデンサーのような回路素子を含むことがある。そのため、電圧生成（電力変換）を開始させるためにＤＣＤＣコンバーターを起動させたとき（電力供給を開始したとき）、突入電流が流れることがある。そこで、突入電流を抑えようとするＤＣＤＣコンバーターが特許文献１に記載されている。
【０００３】
具体的に、特許文献１には、入力される電圧を降圧してバッテリおよび負荷に供給する電力変換手段、電力変換手段の出力電圧を検出する電圧検出手段、電力変換手段の出力電流を検出する電流検出手段、起動時に出力電圧を目標電圧に到達するまで徐々に増加させるソフトスタートを実行する電圧制御手段を備えたＤＣＤＣコンバーターが記載されている。これにより、突入電流を抑えつつ、目標電圧到達までの時間を短縮しようとする。また、特許文献１には、出力電圧の目標値がＶ１からＶ２に変更された場合、電圧生成で参照するリファレンス値をＶ１に対応する値からＶ２に対応する値に除々に近づけ、その変化の傾きを可変させて、出力電圧のオーバーシュートなどの発生を抑制することなども記載されている（特許文献１：請求項１、段落［０００４］等参照）。
【先行技術文献】
【特許文献】
【０００４】
【特許文献１】特開２０１２−０６０８１９号公報
【発明の概要】
【発明が解決しようとする課題】
【０００５】
プリンタ、複写機、複合機、ＦＡＸ装置のような画像形成装置には、各種制御基板やマルチコアのチップや回路など、複数のデバイスが含まれる。これらのデバイスの駆動のため（動作させるため）、ＤＣＤＣコンバーターのような電力変換回路を画像形成装置内に設けることがある。
【０００６】
一方、近年では、消費電力の低減のため、画像形成装置には、通常、省電力モードが搭載される。省電力モードでは、画像形成装置を直ちに使える状態や、ジョブを実行している状態（通常モード）よりも、電力供給を行う部分を減らす。言い換えると、通常モードでは予め定められた部分（供給停止部分）に対し電力を供給するが、省電力モードでは、供給停止部分への電力供給を停止する。これにより、画像形成装置が使用されていない状態での消費電力が低減される。
【０００７】
ここで、例えば、ＤＣＤＣコンバーターの出力に対し、並列にＦＥＴのような複数のスイッチを設け、省電力モードになると、供給停止部分に対して設けられたスイッチをＯＦＦ状態にして、供給停止部分への電力供給を停止する構成とすることがある。しかし、負荷電流が大きい場合、ＦＥＴのオン抵抗による電圧ドロップが大きくなる。電圧ドロップが大きいと、負荷に印加する電圧が小さくなり、デバイスや回路が正常に動作しなくなる場合がある。
【０００８】
そこで、近年の価格の低下もあり、ＤＣＤＣコンバーターのような電源装置（電力変換回路）の設置個数を増やし、電源を細分化し（電源の個数を増やし）、省電力モードになると、供給停止部分に対して設けられたＤＣＤＣコンバーター自体を停止して、供給停止部分への電力供給を停止することがある。
【０００９】
ここで、仕様上の出力電圧値が同じＤＣＤＣコンバーターを複数設ける場合がある。例えば、１つのデバイス（回路やチップ）が駆動電圧が等しい複数のコアやブロックに別れていて、省電力モードになると、一部のコアやブロックを停止させるとき、仕様上の出力電圧値が同じＤＣＤＣコンバーターを複数設ける場合がある。省電力モードで停止させるコアやブロックに電圧を印加するＤＣＤＣコンバーターの電圧生成（動作）が、省電力モードでは、停止される。
【００１０】
しかし、仕様上の出力電圧値が同じ各ＤＣＤＣコンバーターでは、出力電圧と目標電圧（仕様上の出力電圧）にずれ（誤差）が生ずる場合がある。言い換えると、仕様上の出力電圧値は同じでも、実際の出力電圧値に差が生ずる場合がある。例えば、各ＤＣＤＣコンバーター内の部品（素子）の特性のばらつき、周辺回路の特性のばらつきなどで、実際の出力電圧値に差が生ずる場合がある。
【００１１】
そうすると、同じ電圧値が印加されず、例えば、１つのチップや回路内のコア間やブロック間で、電位差が生ずる。このような電位差によって、デバイスが正常に動作にしなくなる場合がある。例えば、ＣＰＵの各コアに印加される電圧に差があるために、コアが正常に動作しない場合や、コア間の信号伝達にエラーが生ずるといった問題が生じ得る。このようなデバイスへの悪影響（誤動作、動作停止）を防ぐには、仕様的に同じ電圧値を出力するＤＣＤＣコンバーターの実際の出力電圧値に、差が生じないようにすべきであるという問題がある。
【００１２】
ここで、特許文献１記載の発明によれば、突入電流を抑えることができる場合はある。しかし、同じ出力電圧値を出力するものとして設けられた複数のＤＣＤＣコンバーターの実際の出力電圧値に、差が生じないようにする点については、記載がない。従って、上記の問題を解決することはできない。
【００１３】
本発明は、ＤＣＤＣコンバーターの出力電圧の大きさを定めるための参照電圧（リファレンス電圧）を調整し、少なくとも２つのＤＣＤＣコンバーターの実際の出力電圧値の差を低減する。
【課題を解決するための手段】
【００１４】
請求項１に係る画像形成装置は、第１参照電圧生成部と、出力電圧を設定するための第１設定回路と、前記第１参照電圧生成部が生成した第１参照電圧と前記第１設定回路からの出力の電位差に応じて電圧を生成、出力する第１出力生成部を含むＤＣＤＣコンバーターを備えた主電力変換部と、第２参照電圧を生成する第２参照電圧生成部と、出力電圧を設定するための回路であって前記第１設定回路と同じ仕様の第２設定回路と、前記第２参照電圧と前記第２設定回路からの出力の電位差に応じて電圧を生成、出力し、前記第１出力生成部と同じ仕様の第２出力生成部を含むＤＣＤＣコンバーターを備えた副電力変換部と、前記主電力変換部と前記副電力変換部の出力電圧が等しくなるように調整するための調整制御部を含み、また、前記副電力変換部は、前記第２参照電圧を可変させて調整するための調整部を含み、前記調整制御部は、前記第１参照電圧と前記第２参照電圧の差を認識し、各参照電圧の差が無くなるように前記調整部に前記第２参照電圧を調整させることとした。
【発明の効果】
【００１５】
上述したように、本発明によれば、電力変換部（ＤＣＤＣコンバーター）の出力電圧の大きさを定めるための参照電圧を調整し、複数のＤＣＤＣコンバーターの実際の出力電圧値の差を低減することができる。従って、各ＤＣＤＣコンバーターの出力電圧値の差に起因するようなデバイスの誤動作、異常動作、動作停止が生じなくなる。
【図面の簡単な説明】
【００１６】
【図１】実施形態に係る複合機の一例を示す図である。
【図２】実施形態に係る複合機のハードウェア構成の一例を示す図である。
【図３】実施形態に係る複合機の電源装置の一例を示す図である。
【図４】実施形態に係る複合機での通常モードと省電力モード間の遷移を説明するための図である。
【図５】実施形態に係る複合機での電力供給系統の一例を示す図である。
【図６】実施形態に係る第１電力変換部と第２電力変換部の回路構成の一例を示す図である。
【図７】実施形態に係る主ＤＣＤＣコンバーターと副ＤＣＤＣコンバーターの出力電圧値の差を低減するための構成を示す図である。
【図８】実施形態に係る複合機（電源装置）での副ＤＣＤＣコンバーターの動作開始時の処理の流れの一例を示すフローチャートである。
【発明を実施するための形態】
【００１７】
以下、図１〜図８を用いて、本発明の実施形態を説明する。以下の説明では、本発明に係る電源装置１を含む複合機１００（画像形成装置に相当）を例に挙げて説明する。但し、実施の形態に記載されている構成、配置等の各要素は、発明の範囲を限定するものではなく単なる説明例にすぎない。
【００１８】
（複合機１００の概略構成）
まず、図１に基づき、実施形態に係る複合機１００本体の概略を説明する。図１は、実施形態に係る複合機１００の一例を示す図である。
【００１９】
本実施形態の複合機１００には、上部に画像読取部２ａ、原稿搬送部２ｂ、操作パネル３が設けられる。原稿搬送部２ｂは、原稿載置トレイ２１に積載された原稿を１枚ずつ連続的に画像読取部２ａの読取位置（送り読取用コンタクトガラス２２）に向けて搬送する。又、原稿搬送部２ｂは、図１の紙面奥側に設けられた支点（不図示）により、手前側を振るようにして開閉可能である。例えば書籍等の原稿を載置読取用コンタクトガラス２３に載せ、原稿搬送部２ｂを閉じることで原稿を抑えることができる。画像読取部２ａは、送り読取用コンタクトガラス２２を通過する原稿、又は、載置読取用コンタクトガラス２３に載置された原稿を読み取り、画像データを生成する。生成された原稿の画像データは、コピーや送信などに用いられる。
【００２０】
また、操作パネル３は、複合機１００の状態や各種メッセージや設定用画面を表示する表示部３１を備える。また、表示部３１に対し、各種操作を受け付けるためのタッチパネル部３２やハードキー３３が設けられる。操作パネル３は、これらの部材を用いて、コビーやスキャンのようなジョブに関する設定や送信ジョブでの送信方法のようなジョブの実行内容の設定や、設定したジョブの実行指示を受け付ける。
【００２１】
また、複合機１００本体内部に、印刷部４が設けられる。印刷部４は、給紙部４ａ、搬送部４ｂ、画像形成部４ｃ、中間転写部４ｄ、定着部４ｅを含む。
【００２２】
給紙部４ａは、印刷に用いる用紙を収容、供給する。搬送部４ｂは、装置内で用紙を搬送する通路である。画像形成部４ｃは、各色（ブラック、イエロー、シアン、マゼンタ）の画像形成ユニット４１Ｂｋ、４１Ｙ、４１Ｃ、４１Ｍと画像形成ユニット４１Ｂｋ〜４１Ｍのそれぞれに設けられた感光体ドラムを露光する露光装置４２を含む。各画像形成ユニット４１Ｂｋ、４１Ｙ、４１Ｃ、４１Ｍと露光装置４２は、画像データに基づき、各色のトナー像を生成する。中間転写部４ｄは、生成されたトナー像を各画像形成ユニット４１Ｂｋ、４１Ｙ、４１Ｃ、４１Ｍからずれなく重畳しつつ１次転写を受け、給紙部４ａから供給された用紙にトナー像を２次転写する。定着部４ｅは、用紙に転写されたトナー像を定着させる。搬送部４ｂは、定着部４ｅを通過した用紙を排出トレイ４３に排出する。
【００２３】
（複合機１００のハードウェア構成）
次に、図２に基づき、実施形態に係る複合機１００のハードウェア構成の一例を説明する。図２は、実施形態に係る複合機１００のハードウェア構成の一例を示す図である。
【００２４】
まず、複合機１００本体内に、主制御部５が、複合機１００の動作の制御を統括する部分として設けられる。例えば、主制御部５は、基板であり、制御を行う部分としてＣＰＵ５１や、画像処理を行う部分としての画像処理部５２を有する。
【００２５】
又、主制御部５は、記憶部５３を有する。記憶部５３は、複合機１００の制御用のプログラムやデータの他、画像データ等を記憶できる。例えば、記憶部５３は、ＲＡＭ、ＲＯＭ、ＨＤＤ、フラッシュＲＯＭ等の揮発性と不揮発性の記憶装置を組み合わせてなる。ＣＰＵ５１は、記憶部５３に記憶されるプログラムやデータに基づき、演算処理の実行や制御信号の発信、受信を行って、複合機１００の制御を行う。
【００２６】
又、コピージョブなどのような画像形成や用紙搬送を伴うジョブを行うとき、各種回転体を回転させるモーター等のＯＮ／ＯＦＦ等を行い、印刷部４を制御するエンジン制御部４０が設けられる。エンジン制御部４０は、主制御部５等と通信可能に接続され、主制御部５の指示に基づき、印刷に関して実際に印刷部４の制御を行う部分である。
【００２７】
エンジン制御部４０は、例えば、演算処理装置としてエンジンＣＰＵ４０ａを有する。又、エンジン制御部４０には、その他、チップ、マイコン、各種回路、素子、メモリ等が実装される。そして、例えば、エンジン制御部４０は、制御対象としての印刷部４の各部（給紙部４ａ、搬送部４ｂ、画像形成部４ｃ、中間転写部４ｄ、定着部４ｅ）等と通信可能に接続され、印刷部４の各部を制御する。
【００２８】
又、主制御部５は、原稿の読み取りや、画像データの送受信に必要な原稿搬送部２ｂ、画像読取部２ａなどと通信可能に接続される。コピーやスキャンのような原稿の読み取りを伴うジョブを実行するとき、主制御部５は、原稿搬送部２ｂや画像読取部２ａに指示を与え、制御する。尚、エンジン制御部４０が、主制御部５の指示に基づき、原稿搬送部２ｂ、画像読取部２ａの動作制御を、行うようにしてもよい。
【００２９】
又、主制御部５は、操作パネル３と通信可能に接続される。これにより、操作パネル３でなされた設定、入力の内容は、主制御部５に伝達される。主制御部５は、ジョブを実行するとき、設定内容に合わせて各部が動作するように、複合機１００に含まれる各部に指示を与え、動作させる。
【００３０】
更に、主制御部５は、通信部５４と通信可能に接続される。通信部５４は、コンピューター２００（例えば、パーソナルコンピューターやサーバ）や、相手方のＦＡＸ装置３００と、ネットワークやケーブルや通信網により通信を行うためのインターフェイスである。通信部５４がコンピューター２００から受け取った画像データ等に基づき、印刷を行うことができる（プリンタ機能）。また、画像読取部２ａで読み取られた画像データを記憶部５３に蓄積したり、通信部５４から画像データをコンピューター２００やＦＡＸ装置３００に送信したりすることができる（送信、スキャナ機、ＦＡＸ機能）。
【００３１】
（電源装置１）
次に、図２、図３を用いて、実施形態に係る複合機１００に含まれる電源装置１と、各部分への電力供給系統を説明する。図３は、実施形態に係る複合機１００の電源装置１の一例を示す図である。
【００３２】
図２に示すように、複合機１００内に、電源装置１が設けられる。電源装置１は、商用電源と接続される。具体的には、複合機１００は、電源コードなどによって、コンセント（商用電源）と接続される。電源装置１は、複合機１００を動作させるための各種電圧を生成し、供給する。主制御部５は、電源装置１の動作を制御する。例えば、主制御部５は、電力の供給先の制御（各部への電圧印加のＯＮ／ＯＦＦ）を行う。
【００３３】
図３に示すように、電源装置１は、１次電源部１１と２次電源部１２を含む。１次電源部１１は、電源コードを介して複合機１００に入力される商用電源の整流、平滑化等を行う。例えば、１次電源部１１は、ダイオードブリッジ、トランス、コンデンサー等を含むスイッチング電源である。
【００３４】
１次電源部１１は、用紙搬送やトナー像形成で回転させる回転体（感光体ドラムや用紙搬送用のローラー）を回転させるモーター用の電圧を生成する（例えば、ＤＣ２４Ｖ）。尚、図３では、便宜上、モーター４０ｃを１つのみ図示するが、複合機１００内には、複数のモーターが設けられる。そして、主制御部５は、各モーターのＯＮ／ＯＦＦ（モーターへの電力供給と停止）を行うための駆動回路４０ｂを制御し、各モーターの動作を制御する。
【００３５】
２次電源部１２は、主制御部５のＣＰＵ５１や記憶部５３のＲＡＭやＲＯＭのような電子回路、各種制御基板や画像処理回路などの回路、素子に印加する電圧を生成する。具体的に、２次電源部１２は、１次電源部１１が生成する電圧を変換し、主制御部５等の回路用の電圧を生成する。そして、２次電源部１２は、１次電源部１１が生成する直流電圧を降圧して出力するＤＣＤＣコンバーターを含む。
【００３６】
（通常モードと省電力モード）
次に、図４に基づき、実施形態に係る複合機１００での通常モードと省電力モード間の遷移を説明する。図４は、実施形態に係る複合機１００での通常モードと省電力モード間の遷移を説明するための図である。
【００３７】
まず、複合機１００のメインスイッチＭＳ投入（主電源投入、図２参照）により、複合機１００は、２次電源部１２が動作を開始する。尚、主電源を落としているときでも、２次電源部１２のうち、一部のＤＣＤＣコンバーターを動作させているとき、主電源ＯＮとともに、動作していないＤＣＤＣコンバーターが動作（電圧生成）を開始する。また、主電源を落としているとき、１次電源部１１も停止させるならば、主電源ＯＮとともに１次電源部１１も動作を開始する。
【００３８】
これにより、複合機１００の全部分に対し、電力が供給される。そして、通信部５４の起動や、記憶部５３からのメインプログラムの読み出し、主制御部５やエンジン制御部４０の起動や、定着部４ｅを温めるウォームアップなどが開始される。最終的に、主電源投入により複合機１００の全ての機能が利用できる状態となり、通常モードで立ち上がる。
【００３９】
本実施形態の複合機１００の通常モードは、主電源投入や、省電力モードから通常モードの復帰に伴うウォームアップが完了していて、ジョブを実行している状態、又は、複合機１００を直ちに利用できる状態としておくため、複合機１００の各部分に（全ての部分に）電力が供給されている状態である。省電力モードで電力供給を行わない部分（予め定められた供給停止部分）に対して、電力を供給している状態が通常モードともいえる。
【００４０】
《通常モードから省電力モードへの移行》
次に、図４を用いて、通常モードから省電力モードへの移行を説明する。まず、通常モードは、直ちに複合機１００を利用できるように保たれている状態、又は、ジョブを実行している状態である。しかし、直ちに複合機１００を利用できるように保つ状態でも、主制御部５やエンジン制御部４０などで一定の電力が消費される。また、定着部４ｅの加熱用のローラーを暖めるヒーターを間欠的にＯＮ／ＯＦＦして、加熱用のローラーの温度を一定の温度で保つため、一定の電力が消費される。そこで、複合機１００は、消費電力を通常モードよりも減らす省電力モードを有する。
【００４１】
通常モードから省電力モードへの移行条件が整うと（満たされると）、複合機１００は、通常モードから省電力モードに移行する。省電力モードになると、主制御部５は、予め定められた供給停止部分への電力供給を停止させる。供給停止部分は任意に定めることができる。本実施形態の複合機１００では、エンジン制御部４０、原稿搬送部２ｂ、操作パネル３、画像読取部２ａ、印刷部４などへの電力供給が停止される。尚、省電力モード中でも一定の制御、通信を行う必要性のため、主制御部５の一部（詳細は後述）には、電力供給がなされる。また、自機宛てのデータを受信できるようにするため、省電力モードでも通信部５４に対しては電力が供給される。
【００４２】
通常モードから省電力モードへの移行条件は、任意に定めることができる。例えば、操作パネル３に設けられ、省電力モードへの移行を指示するための節電キー３４（図３参照）が押されたことが、省電力モードへの移行条件とされてもよい。
【００４３】
又、（１）ウォームアップの完了、（２）ジョブの完了、（３）複合機１００に対する操作、入力がなくなり使用されない状態（待機状態）となったとき、の（１）〜（３）のうち、最も遅い何れかのときから、予め定められた時間（省電力モードへの移行時間。例えば、数秒〜数分）の経過が、省電力モードへの移行条件とされてもよい。例えば、主制御部５が省電力モードへの移行時間を計時する。
【００４４】
複合機１００に対する操作、入力は、主制御部５が認識する（他の部分が認識してもよい）。例えば、主制御部５は、給紙部４ａの用紙カセットの挿脱を検知するカセットセンサーＳ３や、筐体に設けられたメンテナンス用のカバーの開閉を検知するカバーセンサーＳ４や、原稿搬送部２ｂへの原稿セットを検知する原稿セットセンサーＳ１や、原稿搬送部２ｂの上げ下げを検知する開閉検知センサーＳ２のような各種センサーの出力に基づき、複合機１００への操作を認識する。更に、別種のセンサーが設けられてもよい。また、主制御部５は、タッチパネル部３２などの操作パネル３への入力があったことによる操作パネル３からの信号や、通信部５４が印刷用データを受信したことの通信部５４からの信号に基づき、複合機１００への入力を認識する。
【００４５】
省電力モードへの移行条件が満たされると、主制御部５は、電源装置１に、省電力モードへの移行を指示する。この指示を受け、電源装置１は、予め定められた省電力モードでも動作させる部分（省電力モード駆動部分）にのみ電力に供給し、供給停止部分への電力供給を停止する。尚、複合機１００への操作、入力を認識するための部分（例えば、カセットセンサーＳ３、カバーセンサーＳ４、原稿セットセンサーＳ１、開閉検知センサーＳ２、タッチパネル部３２、電源キー３５、通信部５４）の一部又は全てに対しては、省電力モードでも電力供給は行われる（詳細は後述）。
【００４６】
《省電力モードの解除・省電力モード→通常モード》
省電力モードでは、電力供給部分は限られる。そのため、省電力モードでは、複合機１００の各種機能（コピー、スキャン、プリント、ＦＡＸ等）を用いることができない。
【００４７】
そこで、本実施形態の複合機１００では、複合機１００への一定の操作、入力が復帰条件とされ、復帰条件が整うと、複合機１００は、省電力モードから通常モードに復帰し、の各種機能が利用可能な状態となる。
【００４８】
省電力モードから通常モードへの復帰条件は、任意に定めることができる。例えば、省電力モードでも電力供給がなされていて、複合機１００への操作、入力を認識するための部分（例えば、カセットセンサーＳ３、カバーセンサーＳ４、原稿セットセンサーＳ１、開閉検知センサーＳ２、タッチパネル部３２、電源キー３５、通信部５４）の出力、信号によって、主制御部５が、複合機１００に対して操作、入力がなされたことを認識したことが復帰条件とされる。
【００４９】
復帰条件が満たされると、主制御部５は、電源装置１に、省電力モードで電力供給を停止していた部分に対する電力供給を再開させる。これによって、電力供給を停止していた部分の起動、ウォームアップが開始される。ウォームアップ後、複合機１００の各種機能が利用できる状態（通常モード）となる。
【００５０】
（電力供給系統）
次に、図５を用いて、実施形態に係る複合機１００（電源装置１）での電力供給系統を説明する。図５は、実施形態に係る複合機１００での電力供給系統の一例を示す図である。
【００５１】
上述のように、実施形態に係る複合機１００は、１次電源部１１の出力を受けて、ＣＰＵ５１や各種回路や、記憶部５３の駆動に要する電圧を生成する２次電源部１２を含む。
【００５２】
そして、図５に示すように、２次電源部１２は、複数の電力変換部を含む。各電力変換部は、電力を供給する部分で必要な電圧を生成するため、ＤＣＤＣコンバーターを含む。また、定電圧を生成するレギュレータが含まれてもよい。
【００５３】
このように、本実施形態の複合機１００では、電源（２次電源部１２）が細分化されている。例えば、図５に示すように、複合機１００には、第１電力変換部６１（主制御部５のＣＰＵ５１用の電圧を生成、主電力変換部に相当）、第２電力変換部６２（主制御部５のＣＰＵ５１用の電圧を生成、副電力変換部に相当）、第３電力変換部６３（主制御部５内の画像処理部５２やＩ／Ｏ用の回路用の電圧を生成）、第４電力変換部６４（エンジン制御部４０用の電圧を生成）、第５電力変換部６５（記憶部５３用の電圧を生成）、第６電力変換部６６（印刷部４用の電圧を生成）、第７電力変換部６７（原稿搬送部２ｂ用の電圧を生成）、第８電力変換部６８（画像読取部２ａ）などが設けられる。また、通信部５４や操作パネル３用の電力変換部が設けてもよいが、詳細な図示は省略する。また、各電力変換部が含むＤＣＤＣコンバーターは１つとは限らず、各電力変換部のうち、対応する電力供給先に複数種の電圧を供給すべき電力変換部は、複数のＤＣＤＣコンバーターを含む場合がある。
【００５４】
尚、図５に示す例は一例であり、図５に示す電力変換部を全て設ける必要はなく、１つの電力変換部や１つのＤＣＤＣコンバーターを、複数の部分で共用してもよい。例えば、印刷部４や原稿搬送部２ｂは、１つの電力変換部から電力の供給（電圧の印加）を受けるようにしてもよい。また、例えば、主制御部５と操作パネル３と通信部５４は、同じ電力変換部から電力の供給（電圧の印加）を受けるようにしてもよい。一方、更に複数の電力変換部を設け、電源を更に細分化してもよい。
【００５５】
そして、主制御部５は、各電力変換部の駆動（ＯＮ／ＯＦＦ、電圧を生成するか、しないか）を制御する。例えば、主制御部５のＣＰＵ５１が、各電力変換部の駆動を制御できるが、ＣＰＵ５１の指示を受けて、各電力変換部の駆動の制御（ＯＮ／ＯＦＦ制御）を行う回路（駆動制御回路）を設けてもよい。
【００５６】
通常モードでは、主制御部５は、全ての電力変換部に電圧を生成、出力させる。一方、省電力モードでは、主制御部５は、供給停止部分に対応する電力変換部（ＤＣＤＣコンバーター）の動作（電圧生成）を停止させる（スイッチングを停止させ、出力電圧をグランドに落とす）。複数のＤＣＤＣコンバーターを含む電力変換部の場合、主制御部５は、省電力モードでは電力供給を停止すると予め定められた供給停止部分に対応するＤＣＤＣコンバーターの動作を停止させる。
【００５７】
従来では、２次電源部１２としてのＤＣＤＣコンバーターを設ける個数を少なくし、１つのＤＣＤＣコンバーターの出力に対し、スイッチング素子としてのＦＥＴ（トランジスタ）を並列に接続し、ＦＥＴを介し、複数の負荷（例えば、主制御基板、エンジン制御基板、各種記憶装置、印刷用の部材、原稿搬送装置、画像読取装置）を並列に接続して、省電力モードでは、電力供給を停止する部分に対応するＦＥＴをＯＦＦ状態としていた。しかし、このような構成では、電流が大きいと、ＦＥＴのオン抵抗によって電圧ドロップが生じ、負荷電圧が小さくなる可能性がある。このような電圧ドロップは、負荷としての回路や素子の動作に悪影響を与える場合がある。
【００５８】
しかし、本実施形態の電源装置１（複合機１００）では、２次電源部１２が細分化されているので、電圧ドロップによる負荷（回路や素子）の動作に悪影響が出ない。
【００５９】
（ＣＰＵ５１への電圧印加）
次に、図５を用いて、実施形態に係る複合機１００に含まれるＣＰＵ５１への電圧生成と印加について説明する。
【００６０】
本実施形態の複合機１００のＣＰＵ５１は、第１コア５１１と第２コア５１２を含むデュアルコアＣＰＵである。尚、本実施形態では、デュアルコアのＣＰＵ５１を搭載する例を説明するが、コア数は２つとは限られず、クアッドコアでもよいし、更にコア数が多いＣＰＵ５１にも本発明は適用できる。
【００６１】
ＣＰＵ５１の第１コア５１１は、メインコアであって、通常モード、省電力モードを問わず、電圧を印加して、動作させる。一方、第２コア５１２は、サブのコアであって、通常モードでは、電圧を印加して動作させ、省電力モードでは、電圧を印加せず、動作させない。省電力モードでは、通常モードのときよりも処理能力は必要ないので、第２コア５１２は、省電力モードで停止させる。これにより、ＣＰＵ５１単体で、省電力モードでの消費電力を減らすことができる。
【００６２】
そして、図５に示すように、２次電源部１２には、第１電力変換部６１（主電力変換部）と第２電力変換部６２（副電力変換部）が含まれる。第１電力変換部６１と第２電力変換部６２は、主制御部５のＣＰＵ５１に印加する電圧を生成する。
【００６３】
そして、図５に示すように、２次電源部１２のうち、第１電力変換部６１は、ＣＰＵ５１の第１コア５１１に印加する電圧を生成し、第１コア５１１に出力する。また、２次電源部１２のうち、第２電力変換部６２は、ＣＰＵ５１の第２コア５１２に印加する電圧を生成し、第２コア５１２に出力する。
【００６４】
第１電力変換部６１は、１つのＤＣＤＣコンバーターを含み、第２電力変換部６２も１つのＤＣＤＣコンバーターを含む。尚、第１電力変換部６１などに、ＣＰＵ５１のＩ／Ｏ用の電圧を生成するＤＣＤＣコンバーターを含めてもよい。そして、同じＣＰＵ５１に対して電圧を印加するので、第１電力変換部６１のＤＣＤＣコンバーターと、第２電力変換部６２のＤＣＤＣコンバーターは同じ大きさの電圧を生成し、同様（同じ）仕様である。
【００６５】
（第１電力変換部６１と第２電力変換部６２の回路構成）
次に、図６を用いて、実施形態に係る第１電力変換部６１と第２電力変換部６２の回路構成を説明する。図６は、実施形態に係る第１電力変換部６１と第２電力変換部６２の回路構成の一例を示す図である。
【００６６】
図６のうち、上部に、第１電力変換部６１（主電力変換部）のＤＣＤＣコンバーター（以下、便宜上、「主ＤＣＤＣコンバーターＡ」と称する）を示す。一方、図６のうち下方に、第２電力変換部６２（副電力変換部）のＤＣＤＣコンバーター（以下、便宜上、「副ＤＣＤＣコンバーターＢ」と称する）を示す。尚、主ＤＣＤＣコンバーターＡと副ＤＣＤＣコンバーターＢは、同じＣＰＵ５１に電圧を印加するので、出力電圧値が等しい、若しくは、差があっても許容範囲に収まる程度に小さいことが望ましい。そのため基本的に主ＤＣＤＣコンバーターＡと副ＤＣＤＣコンバーターＢは同様の仕様である。
【００６７】
〈主ＤＣＤＣコンバーターＡについて〉
まず、主ＤＣＤＣコンバーターＡについて説明する。図６に示すように、主ＤＣＤＣコンバーターＡは、第１参照電圧生成部Ａ１、第１設定回路Ａ２、第１出力生成部Ａ３を含む。また、図６に示すように、主ＤＣＤＣコンバーターＡの出力には、負荷として、ＣＰＵ５１の第１コア５１１が接続される。
【００６８】
第１参照電圧生成部Ａ１は、一定の電圧を生成する回路である。例えば、第１参照電圧生成部Ａ１は、１次電源部１１の出力を受けて一定電圧を生成するレギュレータである。
【００６９】
第１設定回路Ａ２は、主ＤＣＤＣコンバーターＡの出力を設定するための回路である。第１設定回路Ａ２は、２つの抵抗（抵抗Ｒ１、抵抗Ｒ２）の直列回路である。この第１設定回路Ａ２には、主ＤＣＤＣコンバーターＡの出力が印加される（帰還）。具体的に、抵抗Ｒ１の一端に主ＤＣＤＣコンバーターＡの出力が印加され、抵抗Ｒ２のうち、抵抗Ｒ１と接続されていない端部とグランドが接続される。そして、抵抗Ｒ１と抵抗Ｒ２の間の電圧が第１設定回路Ａ２の出力として取り出される。第１設定回路Ａ２の出力は、主ＤＣＤＣコンバーターＡの出力値と、抵抗Ｒ１と抵抗Ｒ２の分圧により定まる。
【００７０】
第１出力生成部Ａ３は、第１アンプＡ４、第１デューティ比設定部Ａ５、第１制御回路部Ａ６、ＦＥＴｔｒ１（スイッチング素子）、ＦＥＴｔｒ２（スイッチング素子）、第１コイルＬ１、第１コンデンサーＣ１などを含む。
【００７１】
第１アンプＡ４は、主ＤＣＤＣコンバーターＡの第１設定回路Ａ２の出力（出力電圧）と、第１参照電圧生成部Ａ１が生成した第１参照電圧Ｖｒｅｆ１の差を増幅する回路である。第１デューティ比設定部Ａ５は、第１アンプＡ４の出力に応じ、主ＤＣＤＣコンバーターＡ（ＦＥＴｔｒ１、ＦＥＴｔｒ２）でのスイッチングのデューティ比を指示、設定する回路である。
【００７２】
第１制御回路部Ａ６は、第１デューティ比設定部Ａ５の指示に基づき、ＦＥＴｔｒ１とＦＥＴｔｒ２のスイッチングを制御する。ＦＥＴｔｒ１とＦＥＴｔｒ２は直列接続される。具体的に、第１制御回路部Ａ６は、ＦＥＴｔｒ１のゲートと、ＦＥＴｔｒ２のゲートに接続される。第１制御回路部Ａ６は、各ゲートへの電圧のＯＮ／ＯＦＦにより、ＦＥＴｔｒ１とＦＥＴｔｒ２のＯＮ／ＯＦＦを制御する。
【００７３】
ＦＥＴｔｒ１のドレインに電源Ｖａが接続される。電源Ｖａは、１次電源部１１が生成した電圧、又は、１次電源部１１が生成した電圧を変圧した電圧である。そして、ＦＥＴｔｒ１のソースと、ＦＥＴｔｒ２のドレインが接続される。ＦＥＴｔｒ２のソースは、抵抗Ｒ３を介して、グランドに接続される。
【００７４】
そして、ＦＥＴｔｒ１のソースとＦＥＴｔｒ２のドレイン間に、第１コイルＬ１と第１コンデンサーＣ１が接続される。第１コイルＬ１と第１コンデンサーＣ１は、主ＤＣＤＣコンバーターＡの出力電圧を平滑化するための回路である。また、第１コイルＬ１と第１コンデンサーＣ１間の電圧が主ＤＣＤＣコンバーターＡの出力電圧Ｖｏｕｔ１として取り出される。例えば、主ＤＣＤＣコンバーターＡの出力電圧Ｖｏｕｔ１は、ＣＰＵ５１の第１コア５１１（メインコア）に印加される。
【００７５】
主ＤＣＤＣコンバーターＡの動作について説明しておく。例えば、複合機１００の主電源が投入されると、主ＤＣＤＣコンバーターＡの第１制御回路部Ａ６がスイッチングを開始する。第１制御回路部Ａ６は、ＦＥＴｔｒ１をＯＮしているとき、ＦＥＴｔｒ２をＯＦＦするとともに、ＦＥＴｔｒ１をＯＦＦしているとき、ＦＥＴｔｒ２をＯＮする。ＦＥＴｔｒ１とＦＥＴｔｒ４が同時にＯＮ状態にはならない。そして、スイッチング開始時のＦＥＴｔｒ１のオンデューティ（ＦＥＴｔｒ２のオフデューティ）は、予め定められた値である。
【００７６】
第１制御回路部Ａ６は、第１デューティ比設定部Ａ５からの指示に基づき、ＦＥＴｔｒ１のＯＮ／ＯＦＦを行う。第１デューティ比設定部Ａ５が第１制御回路部Ａ６に指示するデューティ比は、第１アンプＡ４の出力に基づき定まる。第１デューティ比設定部Ａ５は、主ＤＣＤＣコンバーターＡの出力電圧値が理想的な値であるときの第１アンプＡ４の出力に対し、第１アンプＡ４の出力が大きいとき（例えば、主ＤＣＤＣコンバーターＡの出力電圧値が理想的な値であるときよりも、まだ第１設定回路Ａ２の出力が小さいとき）、第１制御回路部Ａ６に、ＦＥＴｔｒ１のＯＮ／ＯＦＦでのデューティ比（ＯＮデューティ）を大きくする旨の指示を出す。
【００７７】
一方、第１デューティ比設定部Ａ５は、主ＤＣＤＣコンバーターＡの出力電圧Ｖｏｕｔ１が理想的な値であるときの第１アンプＡ４の出力に対し、第１アンプＡ４の出力が大きいとき（主ＤＣＤＣコンバーターＡの出力電圧Ｖｏｕｔ１が理想的な値であるときよりも、第１設定回路Ａ２の出力が大きいとき）、第１制御回路部Ａ６に、ＦＥＴｔｒ１のＯＮ／ＯＦＦでのデューティ比（ＯＮデューティ）を小さくする旨の指示を出す。
【００７８】
このようなフィードバックにより、主ＤＣＤＣコンバーターＡの出力電圧値は、仕様上、適切な出力電圧値（ＣＰＵ５１の第１コア５１１の定格電圧）となるように、保たれる。
【００７９】
〈副ＤＣＤＣコンバーターＢについて〉
次に、副ＤＣＤＣコンバーターＢについて説明する。図６に示すように、副ＤＣＤＣコンバーターＢは、第２参照電圧生成部Ｂ１、第２設定回路Ｂ２、第２出力生成部Ｂ３を含む。また、図６に示すように、副ＤＣＤＣコンバーターＢの出力には、負荷として、ＣＰＵ５１の第２コア５１２が接続される。
【００８０】
主ＤＣＤＣコンバーターＡと副ＤＣＤＣコンバーターＢは、第１参照電圧生成部Ａ１と第２参照電圧生成部Ｂ１が異なる点を除き、同じ仕様である。そのため、主ＤＣＤＣコンバーターＡと副ＤＣＤＣコンバーターＢは共通する部分が多いが、同様の仕様であることを明確にするために、副ＤＣＤＣコンバーターＢについて詳細に説明しておく。
【００８１】
まず、第２参照電圧生成部Ｂ１は、電圧を生成するとともに、生成する電圧を変えることができる回路である。例えば、第２参照電圧生成部Ｂ１は、ディジタル信号で指示された大きさの電圧を生成、出力するディジタル／アナログコンバーターである。
【００８２】
第２設定回路Ｂ２は、副ＤＣＤＣコンバーターＢの出力を設定するための回路である。本実施形態の副ＤＣＤＣコンバーターＢの第２設定回路Ｂ２は、２つの抵抗（抵抗Ｒ４、抵抗Ｒ５）の直列回路である。この第２設定回路Ｂ２には、副ＤＣＤＣコンバーターＢの出力が印加される。具体的に、抵抗Ｒ４の一端に副ＤＣＤＣコンバーターＢの出力が印加され、抵抗Ｒ５のうち、抵抗Ｒ４と接続されていない端部にグランドが接続される。そして、抵抗Ｒ４と抵抗Ｒ５の間の電圧が第２設定回路Ｂ２の出力として取り出される。第２設定回路Ｂ２の出力は、副ＤＣＤＣコンバーターＢの出力値と、抵抗Ｒ４と抵抗Ｒ５の分圧により定まる。
【００８３】
尚、主ＤＣＤＣコンバーターＡの抵抗Ｒ１と副ＤＣＤＣコンバーターＢの抵抗Ｒ４は同じ抵抗値を有するものとして製造されたものであり、主ＤＣＤＣコンバーターＡの抵抗Ｒ２と副ＤＣＤＣコンバーターＢの抵抗Ｒ５は同じ抵抗値を有するものとして製造されたものである（仕様が同じ）。
【００８４】
次に、副ＤＣＤＣコンバーターＢの第２出力生成部Ｂ３は、第２アンプＢ４、第２デューティ比設定部Ｂ５、第２制御回路部Ｂ６、ＦＥＴｔｒ３、ＦＥＴｔｒ４、第２コイルＬ２、第２コンデンサーＣ２などを含む。
【００８５】
第２アンプＢ４は、副ＤＣＤＣコンバーターＢの第２設定回路Ｂ２の出力（出力電圧値）と、第２参照電圧生成部Ｂ１が生成する第２参照電圧Ｖｒｅｆ２の差を増幅する回路である。第２デューティ比設定部Ｂ５は第２アンプＢ４の出力に応じ、副ＤＣＤＣコンバーターＢ（ＦＥＴｔｒ３、ＦＥＴｔｒ４）でのスイッチングのデューティ比を指示、設定する回路である。尚、副ＤＣＤＣコンバーターＢの第２アンプＢ４は、主ＤＣＤＣコンバーターＡの第１アンプＡ４と同じ仕様のものとして製造されたものである。また、副ＤＣＤＣコンバーターＢの第２デューティ比設定部Ｂ５も、主ＤＣＤＣコンバーターＡの第１デューティ比設定部Ａ５と同じ仕様のものとして製造されたものである。
【００８６】
第２制御回路部Ｂ６は、第２デューティ比設定部Ｂ５の指示に基づき、ＦＥＴｔｒ３とＦＥＴｔｒ４のスイッチングを制御する。尚、副ＤＣＤＣコンバーターＢのＦＥＴｔｒ３は、主ＤＣＤＣコンバーターＡのＦＥＴｔｒ１と同じ仕様のものとして製造されたものである。また、副ＤＣＤＣコンバーターＢのＦＥＴｔｒ４も、主ＤＣＤＣコンバーターＡのＦＥＴｔｒ２と同じ仕様のものとして製造されたものである。
【００８７】
副ＤＣＤＣコンバーターＢのＦＥＴｔｒ３とＦＥＴｔｒ４は、直列接続される。具体的に、第２制御回路部Ｂ６は、ＦＥＴｔｒ３のゲートと、ＦＥＴｔｒ４のゲートに接続される。第２制御回路部Ｂ６は、各ゲートへの電圧のＯＮ／ＯＦＦにより、ＦＥＴｔｒ３とＦＥＴｔｒ４のＯＮ／ＯＦＦを制御する。
【００８８】
ＦＥＴｔｒ３のドレインに電源Ｖａが接続される。電源Ｖａは、主ＤＣＤＣコンバーターＡと共通した電源である。そして、副ＤＣＤＣコンバーターＢのＦＥＴｔｒ３のソースと、副ＤＣＤＣコンバーターＢのＦＥＴｔｒ４のドレインが接続される。ＦＥＴｔｒ４のソースは、抵抗６を介して、グランドに接続される。
【００８９】
そして、ＦＥＴｔｒ３のソースとＦＥＴｔｒ４のドレイン間に、第２コイルＬ２と第２コンデンサーＣ２が接続される。第２コイルＬ２と第２コンデンサーＣ２は、副ＤＣＤＣコンバーターＢの出力電圧を平滑化するための回路である。尚、副ＤＣＤＣコンバーターＢの第２コイルＬ２は、主ＤＣＤＣコンバーターＡの第１コイルＬ１と同じ仕様のものとして製造されたものである。また、副ＤＣＤＣコンバーターＢの第２コンデンサーＣ２も、主ＤＣＤＣコンバーターＡの第１コンデンサーＣ１と同じ仕様のものとして製造されたものである。
【００９０】
そして、主ＤＣＤＣコンバーターＡと同様に、第２コイルＬ２と第２コンデンサーＣ２間の電圧が副ＤＣＤＣコンバーターＢの出力電圧Ｖｏｕｔ２として取り出される。例えば、副ＤＣＤＣコンバーターＢの出力電圧Ｖｏｕｔ２は、ＣＰＵ５１の第２コア５１２（サブコア）に印加される。
【００９１】
副ＤＣＤＣコンバーターＢの動作について説明しておく。複合機１００の主電源が投入されたとき、主制御部５の起動したとき、又は、省電力モードから通常モードに復帰したとき、主制御部５は、副ＤＣＤＣコンバーターＢの第２制御回路部Ｂ６にスイッチング開始の指示（信号）を与える。そして、スイッチング開始時のＦＥＴｔｒ３のオンデューティ（ＦＥＴｔｒ４のオフデューティ）は、予め定められた値である。
【００９２】
また、主制御部５は、通常モードでは、副ＤＣＤＣコンバーターＢの第２制御回路部Ｂ６に、ＦＥＴｔｒ３とＦＥＴｔｒ４のスイッチングを継続させる指示（信号）を与える。これにより、通常モードでは、副ＤＣＤＣコンバーターＢから電圧が出力され、第２コア５１２が動作する。通常モードでの副ＤＣＤＣコンバーターＢの第２制御回路部Ｂ６の動作、スイッチング制御と、主ＤＣＤＣコンバーターＡの第１制御回路部Ａ６の動作、スイッチング制御は同じである。
【００９３】
一方、省電力モードでは、主制御部５は、副ＤＣＤＣコンバーターＢの第２制御回路部Ｂ６に、ＦＥＴｔｒ３とＦＥＴｔｒ４の両方のスイッチングを停止させ、いずれもＯＦＦ状態で保つ指示（信号）を与える。これにより、省電力モードでは、副ＤＣＤＣコンバーターＢからの電圧出力がなくなり、第２コア５１２は停止する。
【００９４】
第２制御回路部Ｂ６は、第２デューティ比設定部Ｂ５からの指示に基づき、ＦＥＴｔｒ３のＯＮ／ＯＦＦを行う。第２デューティ比設定部Ｂ５が第２制御回路部Ｂ６に指示するデューティ比は、第２アンプＢ４の出力に基づき定まる。副ＤＣＤＣコンバーターＢの第２デューティ比設定部Ｂ５も、副ＤＣＤＣコンバーターＢの出力電圧値が理想的な値であるときの第２アンプＢ４の出力に対し、第２アンプＢ４の出力が大きいとき（例えば、副ＤＣＤＣコンバーターＢの出力電圧値が理想的な値であるときよりも、まだ第２設定回路Ｂ２の出力が小さいとき）、第２制御回路部Ｂ６に、ＦＥＴｔｒ３のＯＮ／ＯＦＦでのデューティ比（ＯＮデューティ）を大きくする旨の指示を出す。
【００９５】
一方、第２デューティ比設定部Ｂ５は、副ＤＣＤＣコンバーターＢの出力電圧値が理想的な値であるときの第２アンプＢ４の出力に対し、第２アンプＢ４の出力が大きいとき（副ＤＣＤＣコンバーターＢの出力電圧値が理想的な値であるときよりも、第２設定回路Ｂ２の出力が大きいとき）、第２制御回路部Ｂ６に、ＦＥＴｔｒ３のＯＮ／ＯＦＦでのデューティ比（ＯＮデューティ）を小さくする旨の指示を出す。
【００９６】
（出力電圧値の差の低減）
次に、図６、図７を用いて、実施形態に係る電源装置１（複合機１００）での主ＤＣＤＣコンバーターＡと副ＤＣＤＣコンバーターＢの出力電圧値の差の低減を説明する。図７は、実施形態に係る主ＤＣＤＣコンバーターＡと副ＤＣＤＣコンバーターＢの出力電圧値の差を低減するための構成を示す図である。
【００９７】
主ＤＣＤＣコンバーターＡと副ＤＣＤＣコンバーターＢでは、仕様がほぼ同じで、同じ電圧値を出力するように設計されている。そして、主ＤＣＤＣコンバーターＡの出力電圧Ｖｏｕｔ１は、主ＤＣＤＣコンバーターＡに含まれる第１設定回路Ａ２と第１参照電圧生成部Ａ１によって定まる。また、副ＤＣＤＣコンバーターＢの出力電圧Ｖｏｕｔ２は、副ＤＣＤＣコンバーターＢに含まれる第２設定回路Ｂ２と第２参照電圧生成部Ｂ１によって定まる。言い換えると、主ＤＣＤＣコンバーターＡと副ＤＣＤＣコンバーターＢの出力電圧値はそれぞれが含む設定回路と参照電圧生成部の出力に基づき定まる。
【００９８】
そして、主ＤＣＤＣコンバーターＡと副ＤＣＤＣコンバーターＢは、同じＣＰＵ５１に対して電圧を印加するので、同じ電圧値を出力することが求められる。また、同じ回路や素子ではなく、複数のＤＣＤＣコンバーターが別々の回路に同じ大きさの電圧を印加する場合でも、動作の異常や停止を防ぐため、それぞれのＤＣＤＣコンバーターの出力電圧値の差は、許容範囲に収めるべき場合がある。
【００９９】
本実施形態のＣＰＵ５１においては、電圧値に差があると各コアに印加される電圧に差が生ずることになり、ＣＰＵ５１の動作に悪影響が出る。第１コア５１１（メインコア）と第２コア５１２（サブコア）に印加される電圧の大きさの差が、許容範囲を超えて異常発生範囲内の値になると、ＣＰＵ５１が正常に動作しない場合がある。例えば、異常発生範囲内の値になると、コア間で伝達される信号の電圧に影響が出て、伝送されるデータに異常が生じ、命令、データが正常に伝達されなくなる場合がある。
【０１００】
ここで、主ＤＣＤＣコンバーターＡと副ＤＣＤＣコンバーターＢに全く同じ仕様のものを用いたとき、主ＤＣＤＣコンバーターＡで生成される参照電圧と、副ＤＣＤＣコンバーターＢで生成される参照電圧に比較的大きな差が生ずる場合がある。
【０１０１】
例えば、各ＤＣＤＣコンバーターの参照電圧をレギュレーターで生成するとき、レギュレーターの特性の個体差によって、各ＤＣＤＣコンバーターで生成される参照電圧に差が生ずることがある。また、各ＤＣＤＣコンバーターの参照電圧を抵抗の分圧で生成するようなときは、用いられる抵抗の個体差によって、各ＤＣＤＣコンバーターで生成される参照電圧に差が生ずることがある。
【０１０２】
各ＤＣＤＣコンバーターで生成される参照電圧に差があると、同じ電圧値を出力させようとしても、ずれが生ずる。この出力電圧値の差は、上述のように、回路の動作に悪影響が出る場合がある。
【０１０３】
そこで、本実施形態の電源装置１（複合機１００）では、同じ、又は、差があっても許容範囲に収まるように、主ＤＣＤＣコンバーターＡの出力電圧Ｖｏｕｔ１と副ＤＣＤＣコンバーターＢの出力電圧Ｖｏｕｔ２の差を低減して調整する部分を含む。図６、図７を用いて、この部分を説明する。
【０１０４】
図７に示すように、主ＤＣＤＣコンバーターＡの出力電圧Ｖｏｕｔ１と副ＤＣＤＣコンバーターＢの出力電圧Ｖｏｕｔ２の差を低減して調整する部分として、電源装置１には、誤差アンプ７と、副ＤＣＤＣコンバーターＢの調整制御部８と、副ＤＣＤＣコンバーターＢの第２参照電圧生成部Ｂ１内に電圧可変回路９（調整部に相当）が設けられる。このように、各参照電圧生成部を異ならせるだけで、主ＤＣＤＣコンバーターＡと副ＤＣＤＣコンバーターＢはほぼ同じものを用いることができる。尚、調整制御部８は、第２制御回路部Ｂ６の内部に別途設けてもよい。また調整制御部８は、第２制御回路部Ｂ６内に設けられる制御、演算用の回路を流用するものでもよい。
【０１０５】
具体的に、図６、図７に示すように、誤差アンプ７には、主ＤＣＤＣコンバーターＡの第１参照電圧Ｖｒｅｆ１と、副ＤＣＤＣコンバーターＢの第２参照電圧Ｖｒｅｆ２が入力される。誤差アンプ７は差を増幅する。
【０１０６】
例えば、誤差アンプ７は、主ＤＣＤＣコンバーターＡの第１参照電圧Ｖｒｅｆ１の方が、副ＤＣＤＣコンバーターＢの第２参照電圧Ｖｒｅｆ２よりも大きいとき、負（−）の電圧を出力し、差の絶対値が大きいほど、小さい電圧を出力する。また、主ＤＣＤＣコンバーターＡの第１参照電圧Ｖｒｅｆ１の方が、副ＤＣＤＣコンバーターＢの第２参照電圧Ｖｒｅｆ２よりも小さいとき、正（＋）の電圧を出力し、差の絶対値が大きいほど、大きい電圧を出力する。
【０１０７】
そして、誤差アンプ７の出力は、調整制御部８に入力される。そして、調整制御部８は、主ＤＣＤＣコンバーターＡの第１参照電圧Ｖｒｅｆ１と、副ＤＣＤＣコンバーターＢの第２参照電圧Ｖｒｅｆ２のうち、どちらが大きいか、及び、誤差アンプ７の出力と、誤差アンプ７の増幅率に基づき、第１参照電圧Ｖｒｅｆ１と第２参照電圧Ｖｒｅｆ２の差の絶対値を認識する。例えば、調整制御部８は、誤差アンプ７の出力の絶対値を増幅率で除すことで、第１参照電圧Ｖｒｅｆ１と第２参照電圧Ｖｒｅｆ２の差の絶対値を認識する。
【０１０８】
尚、誤差アンプ７を設けず、第１参照電圧Ｖｒｅｆ１と第２参照電圧Ｖｒｅｆ２をそれぞれ調整制御部８に入力し、調整制御部８が参照電圧をＡ／Ｄ変換し、各参照電圧の大きさをそれぞれ認識するようにしてもよい。このように、調整制御部８が、第１参照電圧Ｖｒｅｆ１と第２参照電圧Ｖｒｅｆ２のうち何れが大きいか、及び、第１参照電圧Ｖｒｅｆ１と第２参照電圧Ｖｒｅｆ２の差の絶対値を認識してもよい。
【０１０９】
そして、第２制御回路部Ｂ６（調整制御部８）は、主ＤＣＤＣコンバーターＡの第１参照電圧Ｖｒｅｆ１と、副ＤＣＤＣコンバーターＢの第２参照電圧Ｖｒｅｆ２の大きさが等しくなるように、副ＤＣＤＣコンバーターＢの電圧可変回路９に指示を与える。この指示をうけ、電圧可変回路９は、生成する参照電圧を変化させて、第２参照電圧Ｖｒｅｆ２を調整する。
【０１１０】
例えば、電圧可変回路９がＤ／Ａコンバーターであって、第１参照電圧Ｖｒｅｆ１の方が副ＤＣＤＣコンバーターＢの第２参照電圧Ｖｒｅｆ２よりも大きいとき、調整制御部８は、電圧可変回路９に、第２参照電圧Ｖｒｅｆ２を大きくする旨と、差の絶対値を示す信号を通知する。この通知に基づき、電圧可変回路９は、差の絶対値分、第２参照電圧Ｖｒｅｆ２を大きくする。
【０１１１】
また、例えば、電圧可変回路９がＤ／Ａコンバーターであって、第１参照電圧Ｖｒｅｆ１の方が副ＤＣＤＣコンバーターＢの第２参照電圧Ｖｒｅｆ２よりも小さいとき、調整制御部８は、電圧可変回路９に、第２参照電圧Ｖｒｅｆ２を小さくする旨と、差の絶対値を示す信号（ディジタル信号）を通知する。この通知に基づき、電圧可変回路９は、差の絶対値分、第２参照電圧Ｖｒｅｆ２を小さくする。
【０１１２】
このように、調整制御部８は、主ＤＣＤＣコンバーターＡの第１参照電圧Ｖｒｅｆ１の大きさと、副ＤＣＤＣコンバーターＢの第２参照電圧Ｖｒｅｆ２の大きさの差を実際に認識したうえで、差が無くなるように、電圧可変回路９に出力を変化させる。従って、正確に第１参照電圧Ｖｒｅｆ１と第２参照電圧Ｖｒｅｆ２の大きさを一致させることができる。第１参照電圧Ｖｒｅｆ１と第２参照電圧Ｖｒｅｆ２を同じ大きさ（差があっても微小な誤差）とすることができるので、主ＤＣＤＣコンバーターＡの出力電圧Ｖｏｕｔ１と、副ＤＣＤＣコンバーターＢの出力電圧Ｖｏｕｔ２の差を低減することができる。
【０１１３】
そして、図７に示すように、副ＤＣＤＣコンバーターＢの第２制御回路部Ｂ６は、副ＤＣＤＣコンバーターＢの駆動開始後、第２出力生成部Ｂ３の出力電圧値が予め定められた大きさに到達したことを検知し、信号（POWER_GOOG信号）を出力する検知回路Ｂ６１を含む。尚、主ＤＣＤＣコンバーターＡの第１制御回路部Ａ６もPOWER_GOOG信号を出力する同様の検知回路を含む。
【０１１４】
ここで、予め定められた大きさとは、予め副ＤＣＤＣコンバーターＢが出力すべき電圧として設定された設定電圧であり、ＣＰＵ５１の第２コア５１２の定格電圧値の範囲内の電圧である。例えば、ＣＰＵ５１の第２コア５１２に印加する定格の電圧の範囲内のうち、少なくとも最低レベルを越える値である。
【０１１５】
検知回路Ｂ６１は、副ＤＣＤＣコンバーターＢの出力電圧Ｖｏｕｔ２の大きさを認識し、副ＤＣＤＣコンバーターＢの出力電圧Ｖｏｕｔ２が設定電圧（予め定められた大きさ）よりも大きくなったことを検知する。言い換えると、検知回路Ｂ６１は、副ＤＣＤＣコンバーターＢの出力電圧Ｖｏｕｔ２が安定したことを検知する。
【０１１６】
また、本実施形態の電源装置１では、誤差アンプ７の出力端と、第２制御回路部Ｂ６（調整制御部８）の接続を開閉するためのスイッチ部８１が設けられる。尚、誤差アンプ７を設けず、各参照電圧生成部を調整制御部８に直接入力する場合には、第１参照電圧Ｖｒｅｆ１を調整制御部８に入力するための信号線、又は、第２参照電圧Ｖｒｅｆ２を調整制御部８に入力するための信号線のいずれかに、スイッチ部８１を設けるようにしてもよい。
【０１１７】
ここで、参照電圧の調整は、温度変化などによるＤＣＤＣコンバーターの出力特性の変化を考慮すると、ＤＣＤＣコンバーターの温度上昇や出力電圧がある程度安定してから行う方が効果的である。
【０１１８】
そして、副ＤＣＤＣコンバーターＢの動作開始（電圧生成開始）から検知回路Ｂ６１によって副ＤＣＤＣコンバーターＢの出力電圧Ｖｏｕｔ２が安定したことを検知するまでは（副ＤＣＤＣコンバーターＢの電圧生成開始から出力電圧Ｖｏｕｔ２の上昇中は）、第２制御回路部Ｂ６（検知回路Ｂ６１）は、スイッチ部８１を開状態で保つ。これにより、誤差アンプ７の出力は、調整制御部８（第２制御回路部Ｂ６）に入力されない。そのため、副ＤＣＤＣコンバーターＢの動作開始（電圧生成開始）から検知回路Ｂ６１によって副ＤＣＤＣコンバーターＢの出力電圧Ｖｏｕｔ２が安定したことを検知するまで、調整制御部８による副ＤＣＤＣコンバーターＢの第２参照電圧Ｖｒｅｆ２の調整は行われない。
【０１１９】
検知回路Ｂ６１によって出力電圧Ｖｏｕｔ２の安定検知がなされると、検知回路Ｂ６１は信号（POWER_GOOG信号）を出力する。このPOWER_GOOG信号に応じて、第２制御回路部Ｂ６は、スイッチ部８１を閉状態とする。これにより、誤差アンプ７の出力は、調整制御部８（第２制御回路部Ｂ６）に入力され、調整制御部８は、各参照電圧の差を認識する。そのため、副ＤＣＤＣコンバーターＢの出力電圧Ｖｏｕｔ２が安定したことを検知してから、調整制御部８による副ＤＣＤＣコンバーターＢの第２参照電圧Ｖｒｅｆ２の調整が行われる。このように、本実施形態の電源装置１では、ＤＣＤＣコンバーターの温度上昇や出力電圧がある程度安定してから、副ＤＣＤＣコンバーターＢの第２参照電圧Ｖｒｅｆ２の調整が実行される。
【０１２０】
尚、スイッチ部８１を設けず、副ＤＣＤＣコンバーターＢによる電圧生成開始から、検知回路Ｂ６１が信号（POWER_GOOG信号）を発するまで、調整制御部８が副ＤＣＤＣコンバーターＢの第２参照電圧Ｖｒｅｆ２の調整を行わないようにしてもよい。言い換えると、調整制御部８は、POWER_GOOG信号をトリガとして、第２参照電圧Ｖｒｅｆ２の調整を行ってもよい。
【０１２１】
次に、図８を用いて、実施形態に係る複合機１００（電源装置１）での副ＤＣＤＣコンバーターＢの動作開始時の処理の流れの一例を説明する。図８は、実施形態に係る複合機１００（電源装置１）での副ＤＣＤＣコンバーターＢの動作開始時の処理の流れの一例を示すフローチャートである。
【０１２２】
図８のスタートは、副ＤＣＤＣコンバーターＢの動作開始時（電圧生成開始時）である。具体的には、複合機１００の主電源が投入されたときや、省電力モードから通常モードに復帰したときが当てはまる。
【０１２３】
主制御部５は、副ＤＣＤＣコンバーターＢの第２制御回路部Ｂ６に電圧生成開始の指示を出し、第２制御回路部Ｂ６は、指示を受けて、副ＤＣＤＣコンバーターＢのＦＥＴｔｒ３とＦＥＴｔｒ４のスイッチングを開始して、電圧生成を開始する（ステップ♯１）。第２制御回路部Ｂ６は、電圧生成開始時のスイッチングでのデューティ比（ＯＮデューティ）として、予め定められたデューティ比でスイッチングを開始する。また、副ＤＣＤＣコンバーターＢの第２制御回路部Ｂ６は、電圧生成開始時の第２参照電圧Ｖｒｅｆ２として、予め定められた大きさの第２参照電圧Ｖｒｅｆ２の大きさでの出力を行う旨を第２参照電圧生成部Ｂ１に指示する。
【０１２４】
そして、副ＤＣＤＣコンバーターＢの第２デューティ比設定部Ｂ５の指示に基づき、第２制御回路部Ｂ６は、ＦＥＴｔｒ３とＦＥＴｔｒ４のスイッチングを行い、副ＤＣＤＣコンバーターＢの出力電圧Ｖｏｕｔ２を上昇させる（ステップ♯２）。
【０１２５】
そして、副ＤＣＤＣコンバーターＢの検知回路Ｂ６１は、副ＤＣＤＣコンバーターＢの出力電圧Ｖｏｕｔ２が予め定められた大きさ（設定電圧）に到達したか否かを確認する（ステップ♯３）。もし、到達していなければ（ステップ♯３のＮｏ）、フローは、ステップ♯２に戻る。
【０１２６】
一方、到達したとき（ステップ♯３のＹｅｓ）、第２制御回路部Ｂ６は、スイッチ部８１を閉状態（導通状態）とする（ステップ♯４）。そして、調整制御部８は、誤差アンプ７の出力に基づき、主ＤＣＤＣコンバーターＡの第１参照電圧Ｖｒｅｆ１と、副ＤＣＤＣコンバーターＢの第２参照電圧Ｖｒｅｆ２の差を求める（ステップ♯５）。
【０１２７】
そして、調整制御部８は、求めた差に基づき、実際の第１参照電圧Ｖｒｅｆ１と実際の第２参照電圧Ｖｒｅｆ２の差が無くなるように、電圧可変回路９に、第２参照電圧Ｖｒｅｆ２の変更を指示する（ステップ♯６）。この指示を受けて、副ＤＣＤＣコンバーターＢの参照電圧生成部は、第２参照電圧Ｖｒｅｆ２を調整する（ステップ♯７）。そして、フローは終了する。
【０１２８】
そして、副ＤＣＤＣコンバーターＢの第２参照電圧Ｖｒｅｆ２を調整に行った後、副ＤＣＤＣコンバーターＢが電圧生成を行っている間、定期的に、周期的に第２参照電圧Ｖｒｅｆ２の調整を行うようにしてもよい。副ＤＣＤＣコンバーターＢの起動後、２回目以降の第２参照電圧Ｖｒｅｆ２の調整では、調整を行うごとに、図８のフローのうち、ステップ♯５〜ステップ♯７を実行すればよい。
【０１２９】
このようにして、実施形態に係る電源装置１は、第１参照電圧生成部Ａ１と、出力電圧を設定するための第１設定回路Ａ２と、第１参照電圧生成部Ａ１が生成した第１参照電圧Ｖｒｅｆ１と第１設定回路Ａ２からの出力の電位差に応じて電圧を生成、出力する第１出力生成部Ａ３を含むＤＣＤＣコンバーター（主ＤＣＤＣコンバーターＡ）を備えた主電力変換部と、少なくとも１つ設けられ、第２参照電圧Ｖｒｅｆ２を生成する第２参照電圧生成部Ｂ１と、出力電圧を設定するための回路であって第１設定回路Ａ２と同じ仕様の第２設定回路Ｂ２と、第２参照電圧Ｖｒｅｆ２と第２設定回路Ｂ２からの出力の電位差に応じて電圧を生成、出力し、第１出力生成部Ａ３と同じ仕様の第２出力生成部Ｂ３を含むＤＣＤＣコンバーター（副ＤＣＤＣコンバーターＢ）を備えた副電力変換部と、主電力変換部と副電力変換部の出力電圧が等しくなるように調整するための調整制御部８を含む。また、副電力変換部は、第２参照電圧Ｖｒｅｆ２を可変させて調整するための調整部（電圧可変回路９）を含む。そして、調整制御部８は、第１参照電圧Ｖｒｅｆ１と第２参照電圧Ｖｒｅｆ２の差を認識し、各参照電圧の差が無くなるように調整部に第２参照電圧Ｖｒｅｆ２を調整させることとした。
【０１３０】
ＤＣＤＣコンバーターを複数含み（主電力変換部と副電力変換部を含み）、参照電圧と設定回路の出力電圧に基づいて、それぞれのＤＣＤＣコンバーターの出力電圧の大きさが定められる構成において、調整制御部８は、主電力変換部の第１参照電圧Ｖｒｅｆ１と副電力変換部の第２参照電圧Ｖｒｅｆ２の差を認識して、各参照電圧の差が無くなるように調整部（電圧可変回路９）に調整させる。これにより、主電力変換部（ＤＣＤＣコンバーター）と副電力変換部（ＤＣＤＣコンバーター）のそれぞれから、等しい電圧を出力させようとする構成において、出力電圧値を定める要因としての参照電圧の差が無くなるように調整することができる。そして、主電力変換部と副電力変換部の出力電圧値の差を低減することができる（差を許容範囲に収めることができる）。従って、主電力変換部の負荷と、副電力変換部の負荷の間での電位差を減らすことができ、主電力変換部と副電力変換部から電力供給を受けるデバイス、回路、チップでの誤動作、異常動作、動作停止などを防ぐことができる。
【０１３１】
又、副電力変換部は、副電力変換部の駆動開始後、第２出力生成部Ｂ３の出力電圧値が予め定められた大きさに到達したことを検知する検知回路Ｂ６１を含む。調整制御部８は、検知回路Ｂ６１によって、第２出力生成部Ｂ３の出力電圧値が予め定められた大きさに到達したことが検知される前は、第２参照電圧Ｖｒｅｆ２の調整を調整部（電圧可変回路９）に行わせず、検知されてから第２参照電圧Ｖｒｅｆ２の調整を調整部に行わせる。
【０１３２】
熱などにより、ＤＣＤＣコンバーターに含まれる素子の特性の変化が、ＤＣＤＣコンバーターの特性に影響を与える場合がある。そこで、調整制御部８は、検知回路Ｂ６１によって、第２出力生成部Ｂ３の出力電圧値が予め定められた大きさに到達したことが検知される前は、第２参照電圧Ｖｒｅｆ２の調整を調整部（電圧可変回路９）に行わせず、検知されてから第２参照電圧Ｖｒｅｆ２の調整を調整部（電圧可変回路９）に行わせる。副電力変換部の出力が不安定な状態で行った調整が、時間の経過とともに不適切な調整となる場合があるところ、副電力変換部の出力電圧が安定した状態となってから、副電力変換部の参照電圧を調整することができる。従って、副電力変換部の参照電圧を１回で適切に調整することができ、１回調整を行うだけで、主電力変換部と副電力変換部の出力電圧値の差が無い、又は、ほぼ無い状態で保つことができる。
【０１３３】
又、電源装置１（複合機１００）は、通常モードで予め定められた移行条件が満たされたとき移行する省電力モードと、省電力モードで予め定められた復帰条件が満たされたときに復帰する通常モードを有する。そして、省電力モードでは、副電力変換部は、第２出力生成部Ｂ３からの電圧の出力を停止し、調整制御部８及び調整部（電圧可変回路９）は調整を行わず、通常モードでは、副電力変換部は、第２出力生成部Ｂ３からの電圧の出力を行い、調整制御部８及び調整部は調整を行い、主電力変換部は、通常モードと省電力モードの両方で、第１出力生成部Ａ３からの電圧の出力を続ける。
【０１３４】
これにより、副電力変換部は省電力モードと通常モードで状態が大きく変化するところ、モードの変化による状態の変化が副電力変換部よりも小さい主電力変換部の参照電圧を基準として、副電力変換部の参照電圧を調整することができる。
【０１３５】
又、主電力変換部と副電力変換部の負荷は、複数のコアを持つＣＰＵ５１であり、主電力変換部は、ＣＰＵ５１に含まれるコアのうち、省電力モードでも駆動させるコアに電力を供給し、副電力変換部は、ＣＰＵ５１に含まれるコアのうち、省電力モードでは駆動させないコアに対して電力を供給する。
【０１３６】
これにより、複数のコアを持つＣＰＵ５１に含まれるそれぞれのコアに対応してＤＣＤＣコンバーターを設け、各ＤＣＤＣコンバーターから対応するコアに電力供給を行うとき、各コアに印加される電圧の差を抑えることができ、電源的な理由により、マルチコアのＣＰＵ５１が動作しないことを無くすことができる。従って、ＣＰＵ５１を安定して、問題なく動作させることができる。また、ＤＣＤＣコンバーターのＯＮ／ＯＦＦだけで、どのコアを動作させるか定めることができる。
【０１３７】
又、第１参照電圧Ｖｒｅｆ１と、第２参照電圧Ｖｒｅｆ２の入力を受けて差を増幅する誤差アンプ７を含み、
調整制御部８は、誤差アンプ７の出力に基づいて、第１参照電圧Ｖｒｅｆ１と第２参照電圧Ｖｒｅｆ２の差を認識し、差がなくなるように調整部（電圧可変回路９）に指示を与える
【０１３８】
これにより、調整制御部８は、正確に参照電圧の差を認識することができ、参照電圧の差が無くなるように、副電力変換部の参照電圧を調整することができる。
【０１３９】
又、複合機１００（画像形成装置）は、上述の電源装置１を含む。そのため、複数のＤＣＤＣコンバーター（電源）を用いて、同じ大きさの電圧を出力しようとするとき、主電力変換部と副電力変換部の出力電圧値の差を低減させ、主電力変換部と副電力変換部から電力供給を受けるデバイス、回路、チップでの誤動作や動作停止を防ぐことができる電源装置１を含む。従って、動作にエラーや異常停止がなく、動作が安定している画像形成装置を提供することができる。
【０１４０】
次に、他の実施形態を説明する。
【０１４１】
主ＤＣＤＣコンバーターＡは動作し、出力電圧Ｖｏｕｔ１を生成している状態で、副ＤＣＤＣコンバーターＢの動作（電圧生成）を開始するときの副ＤＣＤＣコンバーターＢの参照電圧の調整について説明した。しかし、主ＤＣＤＣコンバーターＡと副ＤＣＤＣコンバーターＢを同時に動作（電圧生成）を開始した場合も、本発明を適用することができる。例えば、省電力モードに移行したとき、主ＤＣＤＣコンバーターＡと副ＤＣＤＣコンバーターＢの何れもが電圧生成を停止し、通常モードに復帰したとき、両ＤＣＤＣコンバーターが電圧生成を開始する場合などでも、本発明を適用することができる。この場合、主ＤＣＤＣコンバーターＡの出力電圧Ｖｏｕｔ１と、副ＤＣＤＣコンバーターＢの出力電圧Ｖｏｕｔ２のいずれもが、設定電圧値に到達してから、第２参照電圧Ｖｒｅｆ２の調整を行うようにしてもよい
【０１４２】
また、ＣＰＵ５１の第１コア５１１（メインコア）に電圧を印加するＤＣＤＣコンバーターを主ＤＣＤＣコンバーターＡ（主電力変換部）とし、ＣＰＵ５１の第２コア５１２（サブコア）に電圧を印加するＤＣＤＣコンバーターを副ＤＣＤＣコンバーターＢ（副電力変換部）として説明した。しかし、ＣＰＵ５１の第１コア５１１（メインコア）に電圧を印加するＤＣＤＣコンバーターを副ＤＣＤＣコンバーターＢとし、ＣＰＵ５１の第２コア５１２（サブコア）に電圧を印加するＤＣＤＣコンバーターを主ＤＣＤＣコンバーターＡ（主電力変換部）としてもよい。この場合、省電力モードでは、副ＤＣＤＣコンバーターＢの動作を続けさせ、主ＤＣＤＣコンバーターＡが動作を停止させる。そして、通常モードへの復帰によって、主ＤＣＤＣコンバーターＡが動作（電圧生成）を開始し、主ＤＣＤＣコンバーターＡの出力電圧値が設定電圧に到達すると、副ＤＣＤＣコンバーターＢの第２参照電圧Ｖｒｅｆ２の大きさを調整すればよい。言い換えると、調整制御部８や、電圧可変回路９（調整部）は、ＣＰＵ５１の第１コア５１１に電圧を印加するＤＣＤＣコンバーターに対して設けるようにしてもよい。
【０１４３】
また、ＣＰＵ５１に対して、同じ電圧を印加する例を説明した。しかし、本発明は、ＣＰＵ５１に電圧を印加するためのＤＣＤＣコンバーターに限られない。例えば、同じ仕様であって、同じ電圧を出力するものとして設計されたＤＣＤＣコンバーター間での出力誤差の低減に適用することができる。
【０１４４】
また、ＣＰＵ５１は、２つのコアである例を説明した。しかし、コア数は２つに限らず、２つを越える場合でも本発明を適用することができる。例えば、コア数が４つのとき、メインコアに対し、主ＤＣＤＣコンバーターＡを１つ設け、３つのサブコアに対してそれぞれ副ＤＣＤＣコンバーターＢを設け、各副ＤＣＤＣコンバーターＢに対し、誤差アンプ７や、調整制御部８や、電圧可変回路９（調整部）を設けるようにしてもよい。
【０１４５】
以上、本発明の実施形態を説明したが、本発明の範囲はこれに限定されるものではなく、発明の主旨を逸脱しない範囲で種々の変更を加えて実施することができる。
【産業上の利用可能性】
【０１４６】
本発明は複数の電力変換部を含む電源装置を備える画像形成装置に利用可能である。
【符号の説明】
【０１４７】
１      電源装置                        １００  複合機（画像形成装置）
５１    ＣＰＵ                          ５１１  第１コア（コア）
５１２  第２コア（コア）                ６１    第１電力変換部（主電力変換部）
６２    第２電力変換部（副電力変換部）  ７      誤差アンプ
８      調整制御部                      ９      電圧可変回路（調整部）
Ａ      主ＤＣＤＣコンバーター（主電力変換部）
Ａ１    第１参照電圧生成部              Ａ２    第１設定回路
Ａ３    第１出力生成部
Ｂ      副ＤＣＤＣコンバーター（副電力変換部）
Ｂ１    第２参照電圧生成部              Ｂ２    第２設定回路
Ｂ３    第２出力生成部                  Ｂ６１  検知回路
【図１】
2015126662.tif 000003
【図２】
2015126662.tif 000004
【図３】
2015126662.tif 000005
【図４】
2015126662.tif 000006
【図５】
2015126662.tif 000007
【図６】
2015126662.tif 000008
【図７】
2015126662.tif 000009
【図８】
2015126662.tif 000010